(57)【要約】【課題】本発明は、ピッチャー用の爪の保護にマニュキュアを利用して皮膜強度性を高める技術開発に関するもので、自分で手軽にまた短時間にマニュキュアを塗ることができるピッチャー用爪化粧料を提供することが課題である。【解決手段】解決するための手段として、ピッチャー用の爪の保護に女性が使用しているマニュキュアの原料素材を利用したピッチャー用ネイルガードの技術開発であり、すなわち、本発明は皮膜形成剤、可塑剤、溶剤を含有し、ピッチャー用の爪を保護及び強化することを特徴とするピッチャー用爪化粧料である。【特許請求の範囲】
【請求項１】
ピッチャーの爪の保護にマニュキュア原料素材を利用することに関する。
【発明の詳細な説明】
【技術分野】
【０００１】本発明は、ピッチャーの爪の保護にマニュキュア原料素材を使用し、爪の強度性及び柔軟性を高める技術開発に関する。
【背景技術】
【０００２】従来、野球選手特にピッチャー用に爪を保護する商品は市販されていない。ピッチャーは日々の練習や試合でどうしても利き腕の指先に大きな負担がかかり、指先を酷使することになる。当然、爪にも大きな負担がかかってくる。特に指先に大きな負担がかかる速球投手に爪の損傷が多く見られる。そのため、ピッチャーはいろいろな方法で爪の保護を模索している。たとえば、女性用のマニュキュアを塗ったり、接着剤を塗ったりして、爪の保護に苦心している。しかし、それらはピッチャーの爪の保護を目的としていないため、満足がいくものではない。
【発明の開示】
【発明を解決しようとする課題】
【０００３】本発明は、ピッチャーが日々の練習や試合で、利き腕の指の爪の損傷に苦しんでいる状況を解決するために、ピッチャーの爪の保護を目的にピッチャー用爪化粧料を提供することが課題である。
【課題を解決するための手段】
【０００４】課題を解決するための手段として、ピッチャーの爪の保護に女性が使用しているマニュキュア原料素材を利用したピッチャー用ネイルガードの技術開発である。従来のマニュキュア原料素材を利用して、ピッチャー用に適した皮膜強度性、弾力性及び柔軟性を高めることで課題を解決することができる。
【０００５】上記のマニュキュア原料素材を利用したピッチャー用ネイルガードの目的を達成するために、皮膜形成剤、可塑剤、樹脂、溶剤等を含有することを特徴とするピッチャー用爪化粧料を備えたことを要旨とする。
【０００６】すなわち、本発明は、皮膜形成剤、可塑剤、樹脂、溶剤を含有することを特徴とするピッチャー用爪化粧料を提供するものである。
【０００７】また、本発明は、前記における皮膜形成剤がニトロセルロース、エチルセルロース、アルキッド−１，２，３，４，５，６，７、ポリブテン、ポリアクリル酸エチル、ポリ酢酸ビニル、オレフィンオリゴマー等通常化粧料に用いられるもののうち１種または２種以上から成ることを特徴とする前記のピッチャー用爪化粧料を提供するものである。
【０００８】さらに、本発明は、前記における可塑剤が、クエン酸エステル、クエン酸アセチルトリブチル、フタル酸ジブチル、フタル酸ジエチル、フタル酸ジイゾブチル、フタル酸ブチルベンジル、フタル酸ジシクロヘキシル、カンファー及び安息香酸スクロース等通常化粧料に用いられるもののうち１種または２種以上から成ることを特徴とする前記ピッチャー用爪化粧料を提供するものである。
【０００９】溶剤は、従来から爪化粧料にはエステル系、アルコール系、炭化水素系が使用されている。たとえば、酢酸ブチル、イソプロパノール、ブタノール、酢酸エトキシエチル、酢酸エチル等通常化粧料に用いられるもののうち１種または２種以上から成ることを特徴とする前記ピッチャー用爪化粧料を提供するものである。
【００１０】本発明は、マニュキュア原料素材を利用して、ピッチャー用に適した強度性、弾力性及び柔軟性を高める皮膜形成剤、可塑剤、溶剤の選定及び配合が重要であり、この要因が日々練習や試合でボールを力いっぱい投げる強度に耐ええるピッチャーの爪の保護につながる。
【発明の効果】
【００１１】以上説明したように本発明にかかる組成物の選定及び配合によれば、簡単にピッチャーの爪の保護ができるピッチャー用爪化粧料である。しかも、良好な皮膜固化性、優れた皮膜均一性、さらに皮膜強度性、弾力性及び柔軟性その他の各特性を満足させることができる。
【発明を実施するための最良の形態】
【００１２】本発明は、その素材をできる限り天然、自然な状態に維持しかつその新鮮さを保持しつつ素材から商品化への加工工程において、組成物の選定や配合及び熱、水、圧力、空気、酸化等の品質劣化要因の少ない商品形態に考慮しなければならない。また、一回の使用量、取扱い易さ、コスト、関係法規の要因も考慮しなければならない。
本発明の製品化は、自体公知の皮膜形成剤、樹脂、可塑剤さらに溶剤を自体公知の方法で配合し、効能効果を有するピッチャー用爪化粧料素材とすることができる。用いる皮膜形成剤、樹脂、可塑剤さらに溶剤等は特に限定するものではなく、目的とする効能効果の具体的用途に応じて当業者が適宜選択できる。また、形態も特に限定するものではなく、具体的用途に応じていろいろな形態にすることができる。
【実施例】
【００１３】以下、本発明の実施例を持って具体的に説明する。
▲１▼爪または爪の先端部分に本発明のピッチャー用爪化粧料を塗り、一定時間乾かす。
▲２▼次に本発明のピッチャー用爪化粧料を爪全体に軽く均一に塗る。
▲３▼再度、該ピッチャー用爪化粧料を爪の先端から甘皮の方向に爪表面を境目部分から数回なでるように塗り、完全に乾かす。
以下に、本発明のピッチャー用爪化粧料として用いた場合の配合例を示す。【００１４】配合例
ニトロセルロース                    １０％
アルキッド樹脂                      １０％
クエン酸アセチルトリブチル            ５％
酢酸エチル                          ２０％
酢酸ブチル                          ４０％
エチルアルコール                      ５％
アエロジル                            ５％
ポリカーボネット                      ５％
【産業上の利用可能性】
【００１５】野球競技においてピッチャーの存在は大きく、ピッチャーの好不調が勝敗を左右する。野球競技はピッチャーを軸としたスポーツで、ピッチャーが負傷するとなると、チーム全体の指揮にまで及ぶ。
ピッチャーの負傷の中で関節、筋肉、体調不良等があるが、これらは休養や栄養をとることで予防することができる。
しかし、爪の損傷は防ぎようがない。ピッチャーがピッチングをしなければ治療することができるが、チームの中心的選手となるとなかなかそうはいかない。【００１６】爪の成分は髪と同じように表皮細胞が変化したもので、ケラチンを主成分とするたんぱく質より成り、指の先端にあってその保護を目的としている。爪は健康な場合には約１ヶ月に３ｍｍ程度成長する。爪の形状は人により薄い、厚い、大きい、小さい、長い、短い、扁平、湾曲などさまざまであり、当然物理的性質も異なる。爪の硬さは爪甲に含まれる水分量やケラチンの組成物によって変わってくる。一般に乳幼児では爪甲は柔らかく、かつ弾力性に富み、老人では硬く、かつ脆くなる。ピッチャーも日々の練習や試合で酷使する指先を保護している爪にもおおきな負担がかかり、徐々に劣化していくことになる。【００１７】ピッチャーが爪の保護を目的に、爪の成分を食事でケラチンを多く含む食材を毎日欠かさず摂ることは難しい。ケラチンはたんぱく質であるため、食事の栄養内容が高たんぱく・高脂質につながり、疲れやすく、怪我をしやすい体質に変わってしまう。
また、爪の形状及び強度性、弾力性、柔軟性は遺伝的要因も大きく、食事では解決しにくい。そのため、爪を強化する方法を見つけることは困難である。【００１８】そこで、本発明のピッチャー用ネイルガードを塗ることで、ピッチャーの利き腕の爪を保護し、日々の練習や試合で酷使する指先の爪の損傷を防ぐことができる。【００１９】全国に野球選手は、リトルリーグ、高校野球、大学野球、実業団、プロ野球、アマチュアチム等数え切れないほど野球チーム数がある。その中でチームの大黒柱であるピッチャーはかなりの人数である。
本発明のピッチャー用ネイルガードは、ピッチャーの爪を保護し、選手生命をも延ばし、ピッチャーの必需品となることは間違いないと考える。